(57)【特許請求の範囲】
【請求項１】
表面側が発光する面発光パネルと、
前記面発光パネルから光が照射される、透光性を有する立体形状のデザインブロックと、
前記面発光パネルの表面側を覆う第１透光パネルと、
前記第１透光パネルの表面側に配置され、前記デザインブロックの形状に沿って切り抜かれた部分を有する第１遮光シートと、
前記第１遮光シートの表面側に配置され、前記デザインブロックの形状に沿ってくり抜かれた部分を有する第２透光パネルと、を備え、
前記デザインブロックは、前記第２透光パネルのくり抜かれた部分に嵌合され、前記第２透光パネルより表面側に突出されていることを特徴とする発光看板。
【請求項２】
前記デザインブロックの表面を覆う第２遮光シートを更に備えることを特徴とする請求項１に記載の発光看板。
【請求項３】
前記面発光パネルは、導光板と、前記導光板の側端部に配置されたＬＥＤテープライトと、を含むことを特徴とする請求項１又は２に記載の発光看板。
【請求項４】
前記デザインブロックが表面側から背面側に向かう貫通孔を有する場合には、前記貫通孔の位置に対応して前記第１透光パネルの表面に、第３遮光シートを配置していることを特徴とする請求項１〜３の何れか一項に記載の発光看板。
【請求項５】
前記ＬＥＤテープライトに取付られる表面実装型ＬＥＤは、正方形状、長方形状又は円形状であり、正方形状の場合は一辺の長さ、長方形状の場合は長辺の長さ、円形状の場合は直径の長さが、前記デザインブロックの厚さ以上であることを特徴とする請求項１〜４の何れか一項に記載の発光看板。
【発明の詳細な説明】
【技術分野】
【０００１】
本発明は、店舗等に取り付けられる発光看板に関し、特に、文字等のデザインの側面側から光を照射して、文字等を浮かび上がらせる発光看板に関する。
【背景技術】
【０００２】
従来より、バックライトで文字を浮かび上がらせる発光看板を店頭に取り付け、店名やその店に関する情報を表示することが行われてきた。この発光看板は、文字型に加工したアクリル・金属等の立体形状の看板を壁面に取り付け、看板の裏側に複数の発光体を配置して、それら発光体からの光が壁面から反射及び文字の側面から照射されることにより、文字を浮かび上がらせている。
【先行技術文献】
【特許文献】
【０００３】
【特許文献１】特開２００７−３０５５７８号公報
【発明の概要】
【発明が解決しようとする課題】
【０００４】
従来の発光看板は、複数ある文字一つ一つに複数の発光体を取り付けていることから、発光体の取付が煩雑となり、コストが高かった。更に１つの文字についても、文字に発光体を取り付けることから、ある程度、文字が大きく厚みが必要であり、繊細な曲線デザインや、複雑なデザインを浮かび上がらせることは困難であった。例えば、文字のフォントが、線の厚みのあるゴシック体等に限定されたり、他のフォントを使用するときは、文字自体を大きくする等、文字による表現方法が限定されていた。また、従来の発光看板は、文字の側面、壁面への光の当たり方が複雑に影響しあって光ムラができ、文字そのものが読みにくくなることがあった。
【０００５】
そこで本発明は、複数文字がある場合でも、光源を１つに纏めることができ、アルファベット筆記体や特殊フォント、漢字等、従来は困難であった繊細かつ複雑な意匠的表現が可能で、光ムラのない均一なライトアップ演出が可能な発光看板を提供することを目的としている。
【課題を解決するための手段】
【０００６】
上記課題を解決するため、本発明の発光看板は、表面側が発光する面発光パネルと、前記面発光パネルから光が照射される、透光性を有する立体形状のデザインブロックと、前記面発光パネルの表面側を覆う第１透光パネルと、前記第１透光パネルの表面側に配置され、前記デザインブロックの形状に沿って切り抜かれた部分を有する第１遮光シートと、前記第１遮光シートの表面側に配置され、前記デザインブロックの形状に沿ってくり抜かれた部分を有する第２透光パネルと、を備え、前記デザインブロックは、前記第２透光パネルのくり抜かれた部分に嵌合され、前記第２透光パネルより表面側に突出されている。
【発明の効果】
【０００７】
本発明の発光看板によると、複数文字がある場合でも、光源を１つに纏めることができ、繊細かつ複雑な意匠的表現が可能で、光ムラのないライトアップ演出が可能となる。
【図面の簡単な説明】
【０００８】
【図１】本実施形態の発光看板の分解斜視図である。
【図２】様々なデザインブロックを示す斜視図である。
【図３】同上発光看板の組み立てた状態を示す図である。
【図４】同上発光看板の発光状態を示す図である。
【図５】同上発光看板の構造を示す部分端面図である。
【発明を実施するための形態】
【０００９】
以下、本発明の実施形態に係る発光看板を詳細に説明する。図１に示すように、発光看板１は、裏面側から順に、面発光パネル２と、面発光パネル２の表面側を覆う第１透光パネル３と、第１透光パネル３の表面側に配置された第１遮光シート４と、第１遮光シート４の表面側に配置された第２透光パネル５と、第２透光パネル５のくり抜き部分に嵌合されるデザインブロック６と、デザインブロック６の表面を覆う第２遮光シート７と、を備えている。更に、デザインブロック６の「ａ」，「ｑ」，「ｅ」等の表面側から背面側に向かう貫通孔６０を有する文字の貫通孔に挿入されて、第１透光パネル３に取り付けられる第３遮光シート８を、発光看板１は備えている。
【００１０】
面発光パネル２は、表面側が発光されるものであり、エッジライト方式、直下型方式等片面が発光するものであれば良いが、導光板９と、ＬＥＤ１１が複数取り付けられ導光板９の側端部に配置されたＬＥＤテープライト１０を備えるエッジライト方式の面発光パネルが特に良い。エッジライト方式だとパネルの厚みが薄くなるので、発光看板１自体の厚みも薄くなる。ＬＥＤテープライト１０は、電源ケーブル（不図示）と信号ケーブル（不図示）が接続されており、電源ケーブルを通して外部の１００Ｖの商用電源と接続され、信号ケーブルを通してＬＥＤ１１の発光色を変化させる外部のコントローラ（不図示）と接続されている。
【００１１】
第１透光パネル３、第１遮光シート４、第２透光パネル５は、高さ・幅の寸法が面発光パネル２と同程度となっている。第１透光パネル３と第２透光パネル５は、厚みの異なるアクリル材で形成され、第１透光パネル３が第２透光パネル５より厚く形成されている。具体的には、第１透光パネル３は３ｍｍ、第２透光パネル５は２ｍｍの厚さに形成されている。
【００１２】
第１遮光シート４，第２遮光シート７，第３遮光シート８は、光を遮る部材で形成されるが、フィルム状のものでもよい。そして第１遮光シート４，第２遮光シート７，第３遮光シート８の裏面は反射面（不図示）となっている。
【００１３】
第１遮光シート４は、デザインブロック６の形状に沿って切り抜かれた部分４１を有しており、発光パネル２から照射される光は、反射面により第１透光パネル３に戻り、導光板９で再び反射されて、第１遮光シート４の切り抜かれた部分４１から表面側に照射されることとなる（図５参照）。
【００１４】
第２透光パネル５は、高さ・幅が第１遮光シート４と同じ位置に、デザインブロック６の形状に沿ってくり抜かれた部分５１を有している。また、第２透光パネル５の上部には、店舗に関する情報を表示するイラスト１２が描かれている。
【００１５】
デザインブロック６は、第１透光パネル３及び第２透光パネル５と同様にアクリル材で形成され、その厚さは、第２透光パネル５より厚く形成されている。具体的には、デザインブロック６は５ｍｍの厚さで形成されている。このデザインブロック６は、第２透光パネル５より板の厚いアクリル板を加工することにより、厚みのある立体形状の文字が形成される。第１透光パネル３及び第２透光パネル５とデザインブロック６は、透明の素材であれば良く、例えば、クリスタル材でも良い。
【００１６】
そして、デザインブロック６は、店名やその店舗に関する情報を表示する部分であり、
本実施形態では、「Ｃｌａｓｓｉｑｕｅ」の文字をアルファベット筆記体で形成している。
このデザインブロック６は、アルファベット筆記体に限定されるのでは無く、図２に示すように、「Ｃｌａｓｓｉｑｕｅ」とはフォントの異なる文字６１、音符や円の記号６２、温泉マーク，月，太陽等の図形６３、等様々なデザインを、アクリル板を加工することにより精巧に形成することができる。デザインブロック６及び第２透光パネル５は、アクリル板をカッティングして形成しているので、金属製のものより精巧に加工することができる。
【００１７】
次に、発光看板１を組み立てるときは、面発光パネル２に第１透光パネル３、第１遮光シート４、第２透光パネル５を順に取り付け、表面に第２遮光シート７を貼着させたデザインブロック６を第２透光パネル５のくり抜かれた部分５１に嵌合させる。そして、デザインブロック６の貫通孔６０を通して第３遮光シート８を第１透光パネル３に貼着させる。
【００１８】
図３に示すように発光看板１を組み立てると、デザインブロック６の厚さは、第２透光パネル５より厚いので、デザインブロック６は、第２透光パネル５の表面から突出されることとなる。そして、図４に示すように、面発光パネル２を発光させると、デザインブロック６の側面から光が照射されることとなる。第１遮光シート４を切り抜く関係上、文字「ａ」の中央部分等、隙間がある箇所に第３遮光シート８を貼り付けているので、デザインブロック６に隙間がある文字があったとしても、その隙間部分から光が漏れることは無い。
【００１９】
図５は、発光看板１の構造を、店舗の壁面１３に取り付けた状態で示している。この図に示すように、面発光パネル２からの光は、第１透光パネル３を透過してデザインブロック６内に入り、デザインブロック６の第２透光パネル５から突出された側面から照射されることとなる。ここで、ＬＥＤ１１に表面実装型ＬＥＤを使用して発光看板１の発光具合を試験したところ、ＬＥＤの長さ≧デザインブロック６の厚さ、とすると発光看板１は綺麗に発光することが分かった。例えば正方形状のＬＥＤ１１の場合は一辺の長さ、長方形状の場合は長辺の長さ、円形状の場合は直径の長さが、デザインブロック６の厚さ以上であると発光看板１は、光量が不足することなく、光ムラが発生せずに綺麗に光ることとなる。
【００２０】
従来の発光看板では、複数の文字を光らせる場合、文字１つ１つに複数の発光体を取り付けることが必要であったが、本実施形態の発光看板１では、1つの面発光パネルで複数
の文字を光らせることができる。これにより、ＬＥＤの配線が単純となり、資材が少なくて済み、看板の設置工事も容易でエコで低コストで行うことができる。上記の通り、ＬＥＤテープライト１０，１０と接続する電源ケーブル（不図示）とＬＥＤテープライト１０のＬＥＤ１１の発光色を変化させる信号ケーブル（不図示）の２本で済むこととなる。
【００２１】
発光看板１は、文字に発光体を取り付けるのではなく、面発光パネル２からの光を文字等で構成されたデザインブロック６を通して照射させているので、発光体を取り付けることが可能な程度にデザイン素材を大きく形成すること（文字自体の太さが８ｍｍ以上）が不要となる。それにより、デザイン素材の大きさが限定されることなく、繊細なデザインを光で浮かび上がらせることが可能で、例えば、アルファベット筆記体の文字と文字をつなぐ細い線も光で浮かび上がらせることができ、発光看板に自由な表現力を持たせることができる。また、発光看板１は、発光看板自体を小さくすることが可能で、例えば、自動販売機に組み込むことができる。
【００２２】
さらに、曲線デザインや、複雑な形状のデザインでも複数の発光体の配置を計算するこ
となく、デザインブロック６を曲線や複雑な形状に加工し、第２透光パネル５と第１遮光シート４をその形状にくり抜き、又は切り抜けば、曲線デザインや、複雑な形状のデザインを光で浮かび上がらせることができ、発光看板の繊細かつ複雑な意匠的表現が可能である。
【００２３】
そして、デザイン素材に発光体を取り付ける場合は、文字の側面、壁面への光の当たり方が複雑に影響しあって光ムラができ、文字そのものが読みにくくなることがあるが、本実施形態の発光看板１は、デザインブロック６と、厚さの異なる第１透光パネル３及び第２透光パネル５を光が透過するので、光ムラの発生を抑制することができ、デザインブロック６の側面から均一な光が照射され、綺麗にデザインを浮かび上がらせることができる。
【００２４】
また、デザイン素材に発光体を取り付ける発光看板の場合は、デザイン素材を取り付ける支持板が必要であり、その支持板を壁面に取り付けることとなり、デザイン素材と支持板とで厚さが最低２，３ｃｍ必要となる。一方、本実施形態の発光看板１は、デザインブロック６が第２透光パネル５に嵌合されているので、Ａ３サイズ（高さ×幅：２９７ｍｍ×４２０ｍｍ）で厚さが１ｃｍと、看板の薄型化ができる。そして支持板が不要なので、看板の軽量化ができる。
【００２５】
上述した通り、本実施形態の発光看板１は、従来の発光看板に比べて小型・軽量化され、配線も簡略化されているので、外壁に設置するのみならず、自立看板、Ａ型サイン、銘板サイン、プレート看板、室名サイン、誘導サイン、イーゼルを用いた看板等、従来文字を浮かび上がらせることができなかった種類の看板にも使用することができる。
【００２６】
本実施形態の発光看板１は、外部のコントローラによりＬＥＤ１１の発光色を変化させることができるので、デザインブロック６の側面から照射される光の色を変えることができ、浮かび上がるデザインに変化を与えることができる。また、遮光シート４，７，８の表面の色は、自由に選択することが可能で、遮光シート４，７，８の表面の色により、発光看板１を意匠性の高い表現ができる。また、各透光パネル３，５、デザインブロック６を構成する素材に有色のものを用いてもよい。
【００２７】
なお、イラスト１２を第２透光パネル５に印刷する他に、第２透光パネル５と第１遮光シート４をイラストの形状に沿ってカッティングしてもよい。この場合、面発光パネル２からの光がイラストの形状に沿って漏れ出ることとなるので、デザインブロック６の側面から光が照射されるのと併せて、更に意匠性の高い発光看板のとすることができる。
【００２８】
なお、本発明は上記実施形態の構造に限られることなく、任意に変更することが可能である。例えば、デザインブロック６の表面を覆う第２遮光シート７は、デザインブロック６の表面を、例えば、ローレット加工することにより、代替することもでき、本発明は、そのような形態をも含む。更に、第２遮光シート７は、単色の光を透過するものであっても良い。例えば、１つの文字に対し赤色を透過する遮光シート、他の文字に青色、黄色を透過する遮光シートを貼着させることにより、カラフルに看板を発光させることができる。この第２遮光シート７は、必須の構成要素ではなく、第２遮光シート７が無い場合は、デザインブロック６の表面から光が照射されることとなる。この場合、発光看板１は遠距離であっても認識することが可能で、文字等の視認性が良くなり、目立つこととなる。例えば、屋内に発光看板１を取り付け、屋外に向けて発光看板１を発光させると、かなり離れた場所からでも、デザインブロック６で描かれた文字等を認識することができる。
【符号の説明】
【００２９】
１      発光看板
２      面発光パネル
３      第１透光パネル
４      第１遮光シート
４１      切り抜かれた部分
５      第２透光パネル
５１      くり抜かれた部分
６      デザインブロック
６０    貫通孔
６１      文字
６２      記号
６３      図形
７      第２遮光シート
８      第３遮光シート
９      導光板
１０      ＬＥＤテープライト
１１      ＬＥＤ
１２      イラスト
１３      壁面
【要約】
【課題】繊細かつ複雑な意匠的表現が可能で、光ムラのないライトアップ演出が可能な発光看板を提供する。
【解決手段】発光看板１は、表面側が発光する面発光パネル２と、面発光パネル２から光が照射される、透光性を有する立体形状のデザインブロック６と、面発光パネルの表面側を覆う第１透光パネル３と、第１透光パネル３の表面側に配置され、デザインブロック６の形状に沿って切り抜かれた部分を有する第１遮光シート４と、第１遮光シート４の表面側に配置され、デザインブロック６の形状に沿ってくり抜かれた部分を有する第２透光パネル５と、を備え、デザインブロック６は、第２透光パネル４のくり抜かれた部分に嵌合され、第２透光パネル５より表面側に突出されている。
【選択図】図５【図１】
0006753626.tif 000002
【図２】
0006753626.tif 000003
【図３】
0006753626.tif 000004
【図４】
0006753626.tif 000005
【図５】
0006753626.tif 000006